(57)【特許請求の範囲】
【請求項１】
長手方向に配置された軸部を中心に回動可能に枢着されたハンドルカバーを有する筺体を備え、
ハンドルカバー前面に、照明の点灯又は消灯に関する制御信号を出力するためのスイッチが配置され、
ハンドルカバー後面に、前記照明の点灯又は消灯の設定時刻を設定するための設定操作部と、前記ハンドルカバーの閉状態を固定するための係止部とが配置され、
前記筺体前面に、前記設定操作部により設定された設定内容を表示する表示部と、前記係止部と係合することにより前記ハンドルカバーの閉状態を固定するための被係止部とが配置され、
前記設定操作部により設定された設定情報を記憶する記憶部と、前記スイッチの押下に応じて、又は、現在時刻を計時する時計機能を含み当該計時された現在時刻が前記記憶部に記憶された前記設定情報に含まれる前記設定時刻になると当該設定情報の内容に応じて、前記照明の点灯又は消灯に関する制御信号を出力する端末制御部とを備えたことを特徴とする照明制御端末。
【請求項２】
請求項１に記載の照明制御端末であって、
前記設定操作部により設定された前記設定情報には、所定の設定時刻に、複数の照明、又は当該複数の照明のうち一部の照明が一括消灯する内容が含まれていることを特徴とする照明制御端末。
【請求項３】
請求項２に記載の照明制御端末であって、
前記設定操作部により設定された前記設定情報には、前記設定時刻の前に、前記複数の照明のうち一部の照明が消灯する内容が含まれていることを特徴とする照明制御端末。
【請求項４】
請求項２又は３に記載の照明制御端末であって、
前記消灯する時刻は、前記設定操作部により設定可能であることを特徴とする照明制御端末。
【請求項５】
請求項２〜４のうちいずれか一項に記載の照明制御端末であって、
前記消灯する時刻は、前記設定操作部により延長するように設定可能であることを特徴とする照明制御端末。
【請求項６】
請求項１〜５のうちいずれか一項に記載の照明制御端末であって、
前記照明の状態に応じて報知する報知部を更に備えることを特徴とする照明制御端末。
【請求項７】
請求項１〜６のうちいずれか一項に記載の照明制御端末であって、
前記筺体前面に、前記設定情報を外部端末から受信する通信部が更に配置され、
前記端末制御部は、前記通信部により受信された前記設定情報を前記記憶部に記憶することを特徴とする照明制御端末。
【請求項８】
請求項１〜７のうちいずれか一項に記載の照明制御端末と、
前記照明制御端末により出力された制御信号に基づき、前記照明の点灯又は消灯を制御する動作制御部と、
を備えることを特徴とする照明制御システム。
【発明の詳細な説明】
【技術分野】
【０００１】
この発明は、照明の点灯又は消灯を制御するための制御信号を出力する照明制御端末、及び当該照明制御端末を含む照明制御システムに関する。
【背景技術】
【０００２】
オフィス、工場又は店舗等に設置されている照明負荷（以下、単に「照明」という）の点灯及び消灯を制御するための従来の照明制御システム１００ｚについて図１５を参照して説明する。図１５は、従来の照明制御システム１００ｚの構成を示す説明図である。照明制御システム１００ｚは、照明１ｚ〜４ｚと、動作制御部１３ｚと、照明制御端末１４ｚと、商用の交流電源ＡＣ４とにより構成されている。
【０００３】
各々の照明１ｚ〜４ｚは、各々の照明１ｚ〜４ｚに応じて予め設けられた動作制御部１３ｚ内のリレーの各接点の開状態又は閉状態に応じて点灯又は消灯する。例えば、照明１ｚに応じて設けられた動作制御部１３ｚ内のリレーの接点が閉じている場合には照明１ｚは点灯し、照明３ｚに応じて設けられた動作制御部１３ｚ内のリレーの接点が開いている場合には照明３ｚは消灯する。
【０００４】
動作制御部１３ｚは、商用の交流電源ＡＣ４により供給された電力を駆動源として動作し、照明制御端末１４ｚにより出力された制御信号に応じて各々の照明１ｚ〜４ｚの点灯又は消灯を制御する。照明制御端末１４ｚは、各々の照明１ｚ〜４ｚの点灯又は消灯を制御するための制御信号を動作制御部１３ｚに出力する。また、図１５において、各々の照明１ｚ〜４ｚと動作制御部１３ｚとの間、及び、商用の交流電源ＡＣ４と動作制御部１３ｚの間は、それぞれ電力線により電気的に接続されている。また、動作制御部１３ｚと照明制御端末１４ｚとは、信号線Ｓにより電気的に接続されている。
【０００５】
前述したように、照明制御端末１４ｚは、図１６に示すスイッチＳＷｙ又はスイッチＳＷｚの押下に応じて、各々の照明１ｚ〜４ｚの点灯又は消灯を制御するための制御信号を動作制御部１３ｚに出力する。なお、この制御信号には、押下されたスイッチＳＷｙ又はスイッチＳＷｚの種別が含まれている。例えば、スイッチＳＷｙが押下された場合の制御信号には、スイッチＳＷｙの種別が含まれている。また、スイッチＳＷｚが押下された場合の制御信号には、スイッチＳＷｚの種別が含まれている。
【０００６】
ここで、照明制御端末１４ｚの詳細について図１６を参照して説明する。図１６は、従来の照明制御端末１４ｚの外観図である。また、図１６の説明において、同図の上下左右を上下左右方向と定義し、同図の紙面手前側を前方向、紙面奥側を後方向と定義する。
【０００７】
照明制御端末１４ｚは、オフィス、工場又は店舗等の壁面Ｗｚに対して目視可能な状態で配設されている。図１６に示す照明制御端末１４ｚは、筺体Ｋｚの前面方向に配置された筺体左側領域１４ｚｌ及び筺体右側領域１４ｚｒにより一体的に構成されている。照明制御端末１４ｚの筺体左側領域１４ｚｌには、スイッチＳＷｙ及びＬＥＤランプ２３ｚと、スイッチＳＷｚ及びＬＥＤランプ２４ｚとが配置されている。照明制御端末１４ｚの筺体右側領域１４ｚｒには、例えば液晶画面を構成する表示部１７ｚ及び種々のボタン２６ｚ〜３０ｚが設けられている。
【０００８】
前述したように、スイッチＳＷｙ又はスイッチＳＷｚが押下されたとき、照明制御端末１４ｚは各々の照明１ｚ〜４ｚの点灯又は消灯を制御するための制御信号を動作制御部１３ｚに出力する。照明制御端末１４ｚの筺体左側領域１４ｚｌのＬＥＤランプ２３ｚは、スイッチＳＷｙの押下に対して点灯又は消灯するように動作制御部１３ｚ内にて予め対応付けされている照明１ｚ及び２ｚの点灯状態又は消灯状態を色で識別可能なように発光して報知する。照明制御端末１４ｚの筺体左側領域１４ｚｌのＬＥＤランプ２４ｚは、スイッチＳＷｚの押下に対して点灯又は消灯するように動作制御部１３ｚ内にて予め対応付けされている照明３ｚ及び照明４ｚの点灯状態又は消灯状態を色で識別可能なように発光して報知する。例えば、照明１ｚ及び２ｚの点灯状態に対応してＬＥＤランプ２３ｚは赤色に発光し、照明３ｚ及び４ｚの消灯状態に対応してＬＥＤランプ２４ｚは緑色に発光する。
【０００９】
照明制御端末１４ｚの筺体右側領域１４ｚｒには、現在時刻等が表示される表示部１７ｚと、スイッチＳＷｙ又はスイッチＳＷｚの押下と当該押下に対応して点灯又は消灯する各々の照明１ｚ〜４ｚとの関係を設定する各種ボタン２６ｚ〜３０ｚとが設けられている。各種ボタン２６ｚ〜３０ｚについて説明する。モード選択ボタン２８ｚは、表示部１７ｚの上部に表示されるモード選択領域３１ｚにおける通常モード、現在時刻モード、及びタイマモードのうちいずれかを選択するためのボタンである。次に、各種モードについて説明する。
【００１０】
通常モードとは、現在時刻を設定するための現在時刻モード、又は、所定時刻に各々の照明１ｚ〜４ｚのうちいずれかを点灯又は消灯するための設定情報を設定するタイマモード以外の通常の照明制御システム１００ｚの動作中であることを示すモードである。タイマモードとは、所定時刻に各々の照明１ｚ〜４ｚのうちいずれかを点灯又は消灯するための設定情報を動作制御部１３ｚに対して設定するモードである。タイマモードにより設定された設定情報は、少なくとも、点灯又は消灯する所定時刻（以下、「設定時刻」という）と、点灯又は消灯される各々の照明１ｚ〜４ｚの種別とにより構成され、動作制御部１３ｚ内の記憶部（不図示）に記憶される。なお、動作制御部１３ｚには内部時計Ｃ１（不図示）が内部に設けられ、当該内部時計Ｃ１の示す現在時刻がタイマモードにより設定された設定時刻に一致した場合に、当該設定情報で設定された各々の照明１ｚ〜４ｚが点灯又は消灯する。現在時刻モードとは、照明制御端末１４ｚに設けられている内部時計Ｃ２（不図示）の示す現在時刻を設定するモードである。
【００１１】
各種ボタンの説明に戻る。選択ボタン２９ｚは、モード選択ボタン２８ｚによりタイマモードが選択されている場合に、タイマモードにおける各パラメータを選択するためのボタンである。増加ボタン２６ｚ及び減少ボタン２７ｚは、モード選択ボタン２８ｚによりタイマモードが選択されている場合に、タイマモードにおける各パラメータを増加又は減少するためのボタンである。決定ボタン３０ｚは、最終的に選択された設定情報における各パラメータ等を決定するためのボタンである。
【００１２】
また、タイマモードにより設定されたプログラムを記憶する動作制御部１３ｚを構成する一つの要素に、当該設定されたプログラムを各々の照明１ｚ〜４ｚの点灯又は消灯を制御するためのプログラムタイマが含まれる。このプログラムタイマに関しては、例えば特許文献１に開示されている。特許文献１には、信号線に接続された各々のアドレスを有する複数の端末器と伝送ユニットとの間で時分割多重方式により伝送信号を送受信し、端末器のアドレスの対応関係を用いていずれかの端末器への監視入力であるオンオフ信号に応じて他の端末器に接続した負荷を制御する遠隔監視制御システムにおけるプログラムタイマが開示されている。
【先行技術文献】
【特許文献】
【００１３】
【特許文献１】特開２００１−１７５３０６号公報
【発明の概要】
【発明が解決しようとする課題】
【００１４】
しかし、図１６に示す従来の照明制御端末１４ｚは、オフィス、工場又は店舗等内において設けられた狭い設置用領域に設置されるものであるため、当該照明制御端末１４ｚの設置領域幅（Ｌｚ）も設置数も限定されていた。照明制御端末１４ｚの表示部１７ｚ及び各種ボタン２６ｚ〜３０ｚが全て照明制御端末１４ｚの筺体右側領域１４ｚｒの狭い領域に一体的に配置されていた。このため、物理的に大きい表示部１７ｚを配置することが困難であるという課題があった。これにより、小さい表示部１７ｚでは、タイマモードの各パラメータの設定も非常に煩雑であった。
【００１５】
この発明は、前述した従来の事情に鑑みてなされたものであって、複数の照明の点灯又は消灯の制御のためのスイッチ及び当該照明の点灯又は消灯の制御のための設定を効率的に且つ簡易に両立すると共に、従来に比べてコンパクトな設置幅を有する照明制御端末、及び当該照明制御端末を含む照明制御システムを提供することを目的とする。
【課題を解決するための手段】
【００１６】
前述した課題を解決するために、第１の発明の照明制御端末は、長手方向に配置された軸部を中心に回動可能に枢着されたハンドルカバーを有する筺体を備え、ハンドルカバー前面に、照明の点灯又は消灯に関する制御信号を出力するためのスイッチが配置され、ハンドルカバー後面に、照明の点灯又は消灯の設定時刻を設定するための設定操作部と、ハンドルカバーの閉状態を固定するための係止部とが配置され、筺体前面に、設定操作部により設定された設定内容を表示する表示部と、係止部と係合することによりハンドルカバーの閉状態を固定するための被係止部とが配置され、設定操作部により設定された設定情報を記憶する記憶部と、スイッチの押下に応じて、又は、現在時刻を計時する時計機能を含み当該計時された現在時刻が記憶部に記憶された設定情報に含まれる設定時刻になると当該設定情報の内容に応じて、照明の点灯又は消灯に関する制御信号を出力する端末制御部とを備えたことを特徴とする。
【００１７】
また、第２の発明の照明制御端末は、第１の発明の照明制御端末において、設定操作部により設定された設定情報には、所定の設定時刻に、複数の照明、又は当該複数の照明のうち一部の照明が一括消灯する内容が含まれていることを特徴とする。
【００１８】
また、第３の発明の照明制御端末は、第２の発明の照明制御端末において、設定操作部により設定された設定情報には、設定時刻の前に、複数の照明のうち一部の照明が消灯する内容が含まれていることを特徴とする。
【００１９】
また、第４の発明の照明制御端末は、第２又は第３の発明の照明制御端末において、消灯する時刻は、設定操作部により設定可能であることを特徴とする。
【００２０】
また、第５の発明の照明制御端末は、第２〜第４のうちいずれかの発明の照明制御端末において、消灯する時刻は、設定操作部により延長するように設定可能であることを特徴とする。
【００２１】
また、第６の発明の照明制御端末は、第１〜第５のうちいずれかの発明の照明制御端末において、照明の状態に応じて報知する報知部を更に備えることを特徴とする。
【００２２】
また、第７の発明の照明制御端末は、第１〜第６の発明のうちいずれかの照明制御端末において、筺体前面に、設定情報を外部端末から受信する通信部が更に配置され、端末制御部は、通信部により受信された設定情報を記憶部に記憶することを特徴とする。
【００２３】
また、第８の発明の照明制御システムは、第１〜第７の発明のうちいずれかの照明制御端末と、照明制御端末により出力された制御信号に基づき、照明の点灯又は消灯を制御する動作制御部とを備えることを特徴とする。
【発明の効果】
【００２４】
この発明によれば、複数の照明の点灯又は消灯の制御のためのスイッチ及び当該照明の点灯又は消灯の制御のための設定を効率的に且つ簡易に両立すると共に、従来に比べてコンパクトな設置幅を有する照明制御端末、及び当該照明制御端末を含む照明制御システムを構築することができる。
【図面の簡単な説明】
【００２５】
【図１】第１の実施形態の照明制御システムのシステム構成を示す説明図
【図２】照明の配置、並びに、照明、アドレス及びグループの各対応関係を示した説明図、（ａ）照明の配置を示した説明図、（ｂ）照明とアドレスとの対応関係を示す説明図、（ｃ）グループとアドレスとの対応関係を示す説明図
【図３】スイッチとグループとの対応関係を示す説明図
【図４】照明制御端末のハンドルカバーの閉状態の一例を示す外観図
【図５】照明制御端末のハンドルカバーの開状態の一例を示す外観図
【図６】照明の点灯又は消灯に関する設定情報を示す説明図
【図７】第１の実施形態の照明制御端末の構成を示すブロック図
【図８】タイマモードにおける設定情報の新規登録又は変更を説明するフローチャート
【図９】タイマモードにおける設定情報の変更前後における画面例、（ａ）２４時間表示型における設定情報のパラメータの変更前を示す画面例、（ｂ）２４時間表示型における設定情報のパラメータの変更後を示す画面例、（ｃ）曜日表示型における設定情報のパラメータの変更前を示す画面例、（ｄ）曜日表示型における設定情報のパラメータの変更後を示す画面例
【図１０】予告延長モードにおける設定情報の新規登録又は変更を説明するフローチャート
【図１１】予告延長モードにおける設定情報の変更前後における画面例、（ａ）設定情報の消灯予告時間の変更前を示す画面例、（ｂ）設定情報の消灯予告時間の変更後を示す画面例
【図１２】照明の点灯状態の時間変化を示す説明図
【図１３】予告延長モードにおける設定情報の変更前後における画面例、（ａ）設定情報の点灯延長時間の変更前を示す画面例、（ｂ）設定情報の点灯延長時間の変更後を示す画面例
【図１４】照明の点灯状態の時間変化を示す説明図
【図１５】従来の照明制御システムの構成を示す説明図
【図１６】従来の照明制御端末の外観図
【発明を実施するための形態】
【００２６】
以下、この発明の各実施形態について、図面を参照して説明する。また、以下の説明においては、図４に示す上下左右を上下左右方向と定義し、同図の紙面手前側を前方向、同図の紙面奥側を後方向と定義する。
【００２７】
（第１の実施形態）
第１の実施形態の照明制御端末１４を含む照明制御システム１００の構成について図１及び図２を参照して説明する。図１は、第１の実施形態の照明制御端末１４を含む照明制御システム１００のシステム構成を示す説明図である。図２は、照明負荷（以下、単に「照明」という）の配置、並びに、照明、アドレス及びグループの各対応関係を示した説明図である。同図（ａ）は、照明の配置を示した説明図であり、同図（ｂ）は照明とアドレスとの対応関係を示す説明図であり、同図（ｃ）はグループとアドレスとの対応関係を示す説明図である。図１に示す照明制御システムは、図２（ａ）に示すように、オフィス、工場又は店舗等に設置されている各々の照明１〜８の点灯又は消灯を制御する。図１に示すように、照明制御システム１００は、制御対象である各々の照明１〜８と、動作制御部１３と、照明制御端末１４と、各々の商用の交流電源ＡＣ１及びＡＣ２とにより構成されている。
【００２８】
（照明制御システム１００の構成）
各々の照明１〜８は、各々の照明１〜８に対して予め１対１に対応するように設けられた動作制御部１３内に含まれるリレーＲｙ１〜Ｒｙ８の各接点の開状態又は閉状態に応じて、点灯又は消灯する。例えば、照明１に応じて設けられたリレーＲｙ１の接点が閉じている場合には照明１は点灯し、照明５に応じて設けられたリレーＲｙ５の接点が開いている場合には照明５は消灯する。なお、照明１とリレーＲｙ１とは電力線により電気的に接続されている。同様に、照明２とリレーＲｙ２とは電力線により電気的に接続されている。同様に、照明３とリレーＲｙ３とは電力線により電気的に接続されている。同様に、照明４とリレーＲｙ４とは電力線により電気的に接続されている。同様に、照明５とリレーＲｙ５とは電力線により電気的に接続されている。同様に、照明６とリレーＲｙ６とは電力線により電気的に接続されている。同様に、照明７とリレーＲｙ７とは電力線により電気的に接続されている。同様に、照明８とリレーＲｙ８とは電力線により電気的に接続されている。
【００２９】
図２（ｂ）に示すように、図１に示した各々の照明１〜８には、それぞれアドレスが付与されている。各々の照明１〜８と、アドレスとの対応関係について図２（ｂ）を参照して説明する。図２（ｂ）において、照明１には、アドレス１−１が付与されている。同様に、照明２には、アドレス１−２が付与されている。同様に、照明３には、アドレス１−３が付与されている。同様に、照明４には、アドレス１−４が付与されている。同様に、照明５には、アドレス２−１が付与されている。同様に、照明６には、アドレス２−２が付与されている。同様に、照明７には、アドレス２−３が付与されている。同様に、照明８には、アドレス２−４が付与されている。図２（ｂ）に示す各々の照明１〜８とアドレスとの対応関係を示すデータは、動作制御部１３の伝送ユニット９（後述参照）に記憶されている。
【００３０】
また、複数の照明１〜８の点灯又は消灯の制御の運用を効率的に図るために、それぞれ付与されたアドレスにはグループが設定されている。アドレスとグループとの対応関係について図２（ｃ）を参照して説明する。図２（ｃ）は、アドレスとグループとの対応関係を示した説明図である。図２（ｃ）において、アドレス１−１、アドレス１−２、アドレス１−３及びアドレス１−４はグループＧ１と定義されている。アドレス２−１、アドレス２−２、アドレス２−３及びアドレス２−４はグループＧ２と定義されている。アドレス１−２及びアドレス１−４はグループＧ３と定義されている。アドレス２−２及びアドレス２−４はグループＧ４と定義されている。図２（ｃ）に示すアドレスとグループとの対応関係を示すデータは、動作制御部１３の伝送ユニット９（後述参照）に記憶されている。
【００３１】
動作制御部１３は、商用の交流電源ＡＣ１及びＡＣ２により供給された駆動電力により、照明制御端末１４により出力された制御信号に応じて各々の照明１〜８の点灯又は消灯を制御する。動作制御部１３は、図１に示すように、伝送ユニット９と、Ｔ／Ｕ（Ｔｅｒｍｉｎａｌ  Ｕｎｉｔ）１０ａ及びＴ／Ｕ１０ｂと、リモコントランス１１と、各々のリレーＲｙ１〜Ｒｙ８とを備える。
【００３２】
伝送ユニット９は、商用の交流電源ＡＣ１により供給された電力を駆動源として動作し、Ｔ／Ｕ１０ａ又はＴ／Ｕ１０ｂの動作に必要な駆動電力を各Ｔ／Ｕ１０ａ又はＴ／Ｕ１０ｂに対して供給する。照明制御端末１４により出力された制御信号は、伝送ユニット９に入力される。なお、この制御信号には、少なくとも、図２（ｃ）に示す照明１〜８のグループと、当該グループに対して行われる点灯又は消灯するための設定時刻とが含まれている。例えば、図３に示すように、スイッチＳＷａ（図４参照）の押下に応じてグループＧ１の照明１〜４が点灯又は消灯するように予め伝送ユニット９において設定されている場合、照明制御端末１４により出力された制御信号にはグループＧ１の種別と、当該点灯又は消灯が行われる設定時刻とが含まれている。また、図３に示すように、スイッチＳＷｂ（図４参照）の押下に応じてグループＧ２の照明５〜８が点灯又は消灯するように予め伝送ユニット９において設定されている場合、照明制御信号１４により出力された制御信号にはグループＧ２の種別、及び当該点灯又は消灯が行われる設定時刻が含まれている。
【００３３】
伝送ユニット９は、この入力した制御信号に応じて各々の照明１〜８の点灯又は消灯を制御するための信号をＴ／Ｕ１０ａ又はＴ／Ｕ１０ｂに出力する。なお、伝送ユニット９と商用の交流電源ＡＣ１とは電力線により電気的に接続されている。
【００３４】
Ｔ／Ｕ１０ａ又はＴ／Ｕ１０ｂは、伝送ユニット９により供給された電力、又は、伝送ユニット９により供給された電力及びリモコントランス１１により補助的に供給された電力を駆動源として動作し、伝送ユニット９により出力された信号をそれぞれ入力し、当該信号に応じて各々のリレーＲｙ１〜Ｒｙ８の動作を制御する。図１に示すＴ／Ｕ１０ａは、リレーＲｙ１、Ｒｙ２、Ｒｙ５及びＲｙ６の動作を制御する。また、図１に示すＴ／Ｕ１０ｂは、リレーＲｙ３、Ｒｙ４、Ｒｙ７及びＲｙ８の動作を制御する。なお、伝送ユニット９とＴ／Ｕ１０ａ又はＴ／Ｕ１０ｂとは電力線により電気的に接続されている。Ｔ／Ｕ１０ａとリレーＲｙ１、Ｒｙ２、Ｒｙ５、Ｒｙ６とはそれぞれ電力線により電気的に接続されている。Ｔ／Ｕ１０ｂとリレーＲｙ３、Ｒｙ４、Ｒｙ７、Ｒｙ８とはそれぞれ電力線により電気的に接続されている。Ｔ／Ｕ１０ａ又はＴ／Ｕ１０ｂと、リモコントランス１１とは電力線により電気的に接続されている。
【００３５】
リモコントランス１１は、商用の交流電源ＡＣ２により供給された電力を変圧し、Ｔ／Ｕ１０ａ又はＴ／Ｕ１０ｂの駆動に必要な駆動電力を補助的に供給する。また、リモコントランス１１は、商用の交流電源ＡＣ２により供給された電力を変圧し、各々のリレーＲｙ１〜Ｒｙ８の接点を開閉するために必要な駆動電力を補助的に供給する。また、図１に示すリモコントランス１１と、各々のリレーＲｙ１〜Ｒｙ８とは電力線によりそれぞれ接続されている。なお、リモコントランス１１と商用の交流電源ＡＣ２とは、電力線により電気的に接続されている。
【００３６】
各々のリレーＲｙ１〜Ｒｙ８は、不図示の交流電源から供給された電力、又は不図示の交流電源から供給された電力及びリモコントランス１１により補助的に供給された駆動電力に基づき、各々のリレーＲｙ１〜Ｒｙ８自身の接点を開閉することにより、各々の照明１〜８の点灯又は消灯を制御する。図１においては、リレーＲｙ１は照明１の点灯又は消灯を制御する。同様に、リレーＲｙ２は照明２の点灯又は消灯を制御する。同様に、リレーＲｙ３は照明３の点灯又は消灯を制御する。同様に、リレーＲｙ４は照明４の点灯又は消灯を制御する。同様に、リレーＲｙ５は照明５の点灯又は消灯を制御する。同様に、リレーＲｙ６は照明６の点灯又は消灯を制御する。同様に、リレーＲｙ７は照明７の点灯又は消灯を制御する。同様に、リレーＲｙ８は照明８の点灯又は消灯を制御する。
【００３７】
（照明制御端末１４の構成）
照明制御端末１４は、各々の照明１〜８の点灯又は消灯を制御するための制御信号を動作制御部１３の伝送ユニット９に出力する。照明制御端末１４の外観の詳細について図４及び図５を参照して説明する。図４は、第１の実施形態の照明制御端末１４のハンドルカバーＨＣ１及びハンドルカバーＨＣ２のそれぞれの閉状態を示す外観図である。図５は、第１の実施形態の照明制御端末１４のハンドルカバーＨＣ１及びハンドルカバーＨＣ２のそれぞれの開状態を示す外観図である。
【００３８】
図４に示すように、照明制御端末１４は、オフィス、工場又は店舗等の壁面Ｗに対して目視可能な状態で配設され、図１６に示す従来の照明制御端末１４ｚの設置幅（Ｌｚ）に比べて相当に短いコンパクトな設置幅（Ｌ）を有する。図４に示す照明制御端末１４は、厚み方向において非常に薄い略直方体状の筺体Ｋを共通に使用する照明制御端末ユニットＡ及び照明制御端末ユニットＢにより構成されている。なお、図４に示す照明制御端末１４は、２組の照明制御端末ユニットＡ及び照明制御端末ユニットＢにより構成されているが、２組の照明制御端末ユニットＡ及び照明制御端末ユニットＢに限定されない。
【００３９】
照明制御端末ユニットＡは、厚み方向において非常に薄い略直方体状の筺体Ｋと、当該筺体Ｋの前面の長手方向に配置された回動軸Ｊ１を中心に回動可能に枢着されたハンドルカバーＨＣ１とを少なくとも備える。図４は、ハンドルカバーＨＣ１が０度回動された状態を示している。図４に示すように、ハンドルカバーＨＣ１の前面には、スイッチＳＷａが配置されている。また、筺体Ｋの前面には、ＬＥＤランプ２３が配置されている。図３に示すように、スイッチＳＷａは、当該スイッチＳＷａの押下に応じて、グループＧ１の照明１〜４の点灯又は消灯に関する制御信号を出力する。第１の実施形態では、図３に示すように、スイッチＳＷａ又はスイッチＳＷｂの押下に応じて点灯又は消灯する照明のグループが、予め伝送ユニット９に設定されている。
【００４０】
ＬＥＤランプ２３は、グループＧ１の照明１〜４の点灯状態又は消灯状態を色で識別可能なように発光して報知する。ＬＥＤランプ２４は、グループＧ２の照明５〜８の点灯状態又は消灯状態を色で識別可能なように発光して報知する。例えば、グループＧ１の照明１〜４の点灯状態に対応してＬＥＤランプ２３は赤色に発光し、グループＧ１の照明１〜４の消灯状態に対応してＬＥＤランプ２３は緑色に発光する。更に、グループＧ２の照明５〜８の点灯状態に対応してＬＥＤランプ２４は赤色に発光し、グループＧ２の照明５〜８の消灯状態に対応してＬＥＤランプ２４は緑色に発光する。
【００４１】
照明制御端末ユニットＢは、照明制御端末ユニットＡと同様に、厚み方向において非常に薄い略直方体の筺体Ｋと、当該筺体Ｋの前面の長手方向に配置された回動軸Ｊ２を中心に回動可能に枢着されたハンドルカバーＨＣ２とを少なくとも備える。図４は、ハンドルカバーＨＣ２が０度回動された状態を示している。図４に示すように、ハンドルカバーＨＣ２の前面には、スイッチＳＷｂが配置されている。また、筺体Ｋの前面には、ＬＥＤランプ２４と通信部２５とが配置されている。通信部２５は、外部端末である設定通信器５０（後述参照）から赤外線通信等を介して、図６に示すような各々の照明１〜８の点灯又は消灯に関する設定情報を受信する。
【００４２】
各々の照明１〜８の点灯又は消灯に関する設定情報について図６を参照して説明する。図６は、各々の照明１〜８の点灯又は消灯に関する設定情報を示す説明図である。図６に示す設定情報には、制御プログラム番号である設定情報番号と、制御対象であるグループと、制御対象のグループの照明を一括に点灯する点灯時刻を示す入時刻と、制御対象のグループの照明の消灯時刻の前に当該グループのうち一部のグループに予告的に消灯する時刻を示す予告消灯時刻と、制御対象のグループの照明の一括に消灯する消灯時刻を示す切時刻と、当該制御が実行される制御日とが含まれる。
【００４３】
図６の説明において、前提として、月曜日〜金曜日の平日には、時刻８時３０分には、オフィス、工場又は店舗等に配置されたグループＧ１及びＧ２に該当する照明１〜８は全て点灯している運用が行われているとする。図６において、設定情報番号１の設定情報によれば、月曜日〜金曜日に、グループＧ３及びＧ４にそれぞれ該当する照明２、照明４、照明６及び照明８は時刻１２時００分に予告的に消灯される。予告的な消灯とは、全ての照明１〜８が同一時刻に一括して消灯されるのではなく、当該一括消灯の予告として、全ての照明１〜８のうち一部の照明（照明２、照明４、照明６及び照明８）が消灯されることを示す。設定情報番号２の設定情報によれば、月曜日〜金曜日に、グループＧ１及びＧ２にそれぞれ該当する全ての照明１〜８は時刻１２時５分に一括消灯される。なお、設定情報番号１の設定情報により照明２、照明４、照明６及び照明８は既に消灯しているため、実質的には、時刻１２時５分に照明１、照明３、照明５、照明７が追加的に消灯される。
【００４４】
設定情報番号３の設定情報によれば、月曜日〜金曜日に、グループＧ３及びＧ４にそれぞれ該当する照明２、照明４、照明６及び照明８は時刻１８時００分に予告的に消灯される。設定情報番号４の設定情報によれば、月曜日〜金曜日に、グループＧ２に該当する照明５〜照明８が時刻１８時５分に一括して消灯される。設定情報番号５の設定情報によれば、月曜日〜金曜日に、グループＧ３に該当する照明２及び照明４は時刻２３時００分に予告的に消灯される。設定情報番号６によれば、月曜日〜金曜日に、グループＧ１に該当する照明１〜４が時刻２３時５分に一括して消灯される。なお、設定情報番号５の設定情報により照明２及び照明４は既に消灯しているため、実質的には、時刻２３時５分に照明１及び照明３が追加的に消灯される。
【００４５】
図４において、ハンドルカバーＨＣ１の後面に配置された係止部ＫＣ１と、筺体Ｋの前面に配置された被係止部ＨＫＣ１とが係合することによってハンドルカバーＨＣ１は筺体Ｋに固定された状態となる。このように、図４に示すハンドルカバーＨＣ１が筺体Ｋに固定された状態をハンドルカバーＨＣ１の閉状態と定義する。同様に、図４において、ハンドルカバーＨＣ２の後面に配置された係止部ＫＣ２と、筺体Ｋの前面に配置された被係止部ＨＫＣ２とが係合することによってハンドルカバーＨＣ２は筺体Ｋに固定された状態となる。このように、図４に示すハンドルカバーＨＣ２が筺体Ｋに固定された状態をハンドルカバーＨＣ２の閉状態と定義する。
【００４６】
図５に示すように、ハンドルカバーＨＣ１の後面に設けられた係止部ＫＣ１と筺体Ｋの前面に設けられた被係止部ＨＫＣ１との係合が解除された状態をハンドルカバーＨＣ１の開状態と定義する。なお、図５は、ハンドルカバーＨＣ１が１８０度回動された状態を示している。同様に、ハンドルカバーＨＣ２の後面に設けられた係止部ＫＣ２と筺体Ｋの前面に設けられた被係止部ＨＫＣ２との係合が解除された状態をハンドルカバーＨＣ２の開状態と定義する。ハンドルカバーＨＣ１の開状態である場合、ハンドルカバーＨＣ１の後面には増加ボタン２６ａと、減少ボタン２７ａと、モード選択ボタン２８ａと、選択ボタン２９ａと、決定ボタン３０ａとが配置されている。また、ハンドルカバーＨＣ１の閉状態を固定維持するために、係止部ＫＣ１がハンドルカバーＨＣ１の後面に配置されている。
【００４７】
図５に示すように、照明制御端末ユニットＡの筺体Ｋの前面には、表示部１７が配置されている。表示部１７の表示領域には、主に、モード選択領域３１ａと、設定内容表示領域３２ａとに区別される。モード選択領域３１ａとは、各種モードの種類と、現在選択されているモードの種別とを示すための領域であり、図５に示すモード選択領域３１ａには通常モードが選択されている。設定内容表示領域３２ａとは、モード選択領域３１ａにて選択されたいずれかのモードに対応して、各種ボタン２６ａ〜３０ａにより設定された設定情報の内容を示すための領域であり、例えば図５に示す設定内容表示領域３２ａには現在時刻の午前９時００分が表示されている。
【００４８】
各種モードについて説明する。各種モードには、通常モードと、現在時刻モードと、タイマモードと、予告延長モードとがある。通常モードとは、現在時刻を設定するための現在時刻モード、所定時刻に各々の照明１〜８のうちいずれかを点灯又は消灯するための設定情報を設定するタイマモード、及び、各々の照明１〜８の延長点灯時間又は予告消灯時刻を設定する予告延長モード以外の通常の照明制御システム１００の動作中であることを示すモードである。現在時刻モードとは、照明制御端末１４の内部に有する内部時計Ｃ３（図７参照）の示す現在時刻を設定するモードである。タイマモードとは、図６に示した設定情報の新規登録、又は当該設定情報における各パラメータを変更するモードである。予告延長モードとは、図６に示した設定情報の新規登録、又は当該設定情報における各パラメータを変更するモードである。
【００４９】
図５に示すように、照明制御端末ユニットＢの筺体Ｋの前面には、表示部１８が配置されている。表示部１８の表示領域には、主に、モード選択領域３１ｂと、設定内容表示領域３２ｂとに区別される。モード選択領域３１ｂとは、各種モードの種類と、現在選択されているモードの種別とを示すための領域であり、図５に示すモード選択領域３１ｂには予告延長モードが選択されている。設定内容表示領域３２ｂとは、モード選択領域３１ｂにて選択されたいずれかのモードに対応して、各種ボタン２６ｂ〜３０ｂにより設定された設定情報の内容を示すための領域であり、例えば図５に示す設定内容表示領域３２ｂには設定情報番号２の設定情報に対応する予告消灯時刻を設定する様子が表示されている。
【００５０】
図５に示す各種ボタンについて説明する。モード選択ボタン２８ａ（又は２８ｂ）は、表示部１７（又は１８）のモード選択領域３１ａ（又は３１ｂ）に表示される通常モード、現在時刻モード、タイマモード及び予告延長モードのうちいずれかを選択するためのボタンである。選択ボタン２９ａ（又は２９ｂ）は、モード選択ボタン２８ａ（又は２８ｂ）により現在時刻モード、タイマモード又は予告延長モードが選択されている場合に、いずれかのモードにおける各パラメータを選択するためのボタンである。増加ボタン２６ａ（又は２６ｂ）及び減少ボタン２７ａ（又は２７ｂ）は、モード選択ボタン２８ａ（又は２８ｂ）により現在時刻モード、タイマモード及び予告延長モードのうちいずれかが選択されている場合に、いずれかのモードにおける各パラメータを増加又は減少するためのボタンである。決定ボタン３０ａ（又は３０ｂ）は、最終的に選択された各パラメータ等を決定するためのボタンである。
【００５１】
次に、照明制御端末１４の構成の詳細について図７を参照して説明する。図７は、第１の実施形態の照明制御端末１４の内部構成を示すブロック図である。照明制御端末１４は、端末制御部１５と、内部時計Ｃ３と、メモリ１６と、表示部１７と、表示部１８と、スイッチ群１９ａと、スイッチ群１９ｂと、入力検出部２０と、ＬＥＤランプ２３と、ＬＥＤランプ２４と、通信部２５とを備える。照明制御端末１４には、動作制御部１３の伝送ユニット９から駆動電力が供給されることにより、動作する。
【００５２】
端末制御部１５は、マイクロコンピュータにより構成され、照明制御端末１４内の各部の動作を制御する。なお、端末制御部１５は、クロック回路（不図示）から与えられるクロックをカウントすることにより現在時刻を計時する内部時計Ｃ３を備える。端末制御部１５は、スイッチ群１９ａ及び１９ｂのうちどのスイッチが選択されているかを示す情報をメモリ１６に記憶している。端末制御部１５は、入力検出部２０により出力された押下信号（後述参照）に応じて点灯又は消灯の制御を行うための制御信号を生成し、当該生成された制御信号を動作制御部１３に出力する。
【００５３】
メモリ１６は、ＥＥＰＲＯＭ等のような不揮発性メモリにより構成され、図６に示す各々の照明１〜８の点灯又は消灯の制御に関する設定情報を記憶する。
【００５４】
表示部１７は、図５に示す照明制御端末ユニットＡの筺体Ｋの前面に配置され、モード選択ボタン２８ａの押下に応じて通常モードが選択されている場合には、端末制御部１５の内部時計Ｃ３により計時された現在時刻を表示する。また、表示部１７は、モード選択ボタン２８ａの押下に応じて現在時刻モードが選択されている場合には、現在時刻を設定するために当該モード選択ボタン２８ａの押下の時点における現在時刻が点滅表示されると共に、当該現在時刻が設定可能であることを示すアンダーバー（不図示）が表示される。
【００５５】
また、表示部１７には、モード選択ボタン２８ａの押下に応じてタイマモードが選択されている場合には、図６に示す設定情報のうちいずれかが表示されると共に、当該設定情報のパラメータ（設定情報番号、グループ、実行又は非実行等）が設定可能であることを示すアンダーバー（不図示）が表示される。また、表示部１７には、モード選択ボタン２８ａの押下に応じて予告延長モードが選択されている場合には、図７に示す設定情報のうちいずれかが表示されると共に、当該設定情報のパラメータ（設定情報番号、グループ、予告消灯時間、点灯延長時間等）が設定可能であることを示すアンダーバー（不図示）が表示される。
【００５６】
表示部１８は、図５に示す照明制御端末ユニットＢの筺体Ｋの前面に配置され、モード選択ボタン２８ｂの押下に応じて通常モードが選択されている場合には、端末制御部１５の内部時計Ｃ３により計時された現在時刻を表示する。また、表示部１８は、モード選択ボタン２８ｂの押下に応じて現在時刻モードが選択されている場合には、現在時刻を設定するために当該モード選択ボタン２８ｂの押下の時点における現在時刻が点滅表示されると共に、当該現在時刻が設定可能であることを示すアンダーバー（不図示）が表示される。
【００５７】
また、表示部１８には、モード選択ボタン２８ｂの押下に応じてタイマモードが選択されている場合には、図６に示す設定情報のいずれかが表示されると共に、当該設定情報のパラメータ（設定情報番号、グループ、動作又は不動作等）が設定可能であることを示すアンダーバー（不図示）が表示される。また、表示部１８には、モード選択ボタン２８ｂの押下に応じて予告延長モードが選択されている場合には、図７に示す設定情報のいずれかが表示されると共に、当該設定情報のパラメータ（設定情報番号、グループ、予告消灯時間、点灯延長時間等）が設定可能であることを示すアンダーバー（不図示）が表示される。
【００５８】
スイッチ群１９ａは、スイッチＳＷａと、ハンドルカバーＨＣ１の開状態又は閉状態を示すスイッチＳＷ１ａ、増加ボタン２６ａに対応するスイッチＳＷ２ａ、減少ボタン２７ａに対応するスイッチＳＷ３ａ、モード選択ボタン２８ａに対応するスイッチＳＷ４ａ、選択ボタン２９ａに対応するスイッチＳＷ５ａ、及び決定ボタン３０ａに対応するスイッチＳＷ６ａにより構成される。スイッチ群１９ａのうちスイッチＳＷ１ａを除く他のスイッチは、当該スイッチ自身が押下される度に当該押下されたことを示す押下信号を入力検出部２０に出力する。
【００５９】
ハンドルカバーＨＣ１が開状態になった場合に対応して、スイッチＳＷ１ａは、接点のオフ状態を示す押下信号を入力検出部２０に出力する。ハンドルカバーＨＣ１が閉状態になった場合に対応して、スイッチＳＷ１ａは、接点のオン状態を示す押下信号を入力する。
【００６０】
スイッチ群１９ｂは、スイッチＳＷｂと、ハンドルカバーＨＣ２の開状態又は閉状態を示すスイッチＳＷ１ｂ、増加ボタン２６ｂに対応するスイッチＳＷ２ｂ、減少ボタン２７ｂに対応するスイッチＳＷ３ｂ、モード選択ボタン２８ｂに対応するスイッチＳＷ４ｂ、選択ボタン２９ｂに対応するスイッチＳＷ５ｂ、及び決定ボタン３０ｂに対応するスイッチＳＷ６ｂにより構成される。スイッチ群１９ｂのうちスイッチＳＷ１ｂを除く他のスイッチは、当該スイッチ自身が押下される度に当該押下されたことを示す押下信号を入力検出部２０に出力する。
【００６１】
ハンドルカバーＨＣ２が開状態になった場合に対応して、スイッチＳＷ１ｂは、接点のオフ状態を示す押下信号を入力検出部２０に出力する。ハンドルカバーＨＣ２が閉状態になった場合に対応して、スイッチＳＷ１ｂは、接点のオン状態を示す押下信号を入力検出部２０に出力する。
【００６２】
入力検出部２０は、スイッチ群１９ａ及び１９ｂの各スイッチの操作を監視すると共に、スイッチ群１９ａ及び１９ｂのうちいずれかのスイッチから出力された押下信号を入力し、当該押下信号を端末制御部１５に出力する。なお、入力検出部２０から端末制御部１５に出力される押下信号には、スイッチ群１９ａ及び１９ｂのうち押下されたスイッチの種別が少なくとも含まれている。また、入力検出部２０は、スイッチＳＷ１ａ又はＳＷ１ｂから出力された押下信号に応じて、ハンドルカバーＨＣ１又はハンドルカバーＨＣ２の開状態又は閉状態を検出する。例えば、スイッチＳＷ１ａから接点のオン状態を示す押下信号が入力された場合、入力検出部２０は、ハンドルカバーＨＣ１は開状態であると検出する。また、スイッチＳＷ１ｂから接点のオフ状態を示す押下信号が入力された場合、入力検出部２０は、ハンドルカバーＨＣ２は閉状態であると検出する。
【００６３】
ＬＥＤランプ２３は、端末制御部１５によりグループＧ１の照明１〜４が点灯する状態であると判断された場合には、端末制御部１５の制御により赤色に発光し、端末制御部１５によりグループＧ１の照明１〜４が消灯する状態であると判断された場合には、端末制御部１５の制御により緑色に発光する。なお、端末制御部１５は、スイッチＳＷａが押下されていない状態（グループＧ１の照明１〜４が消灯している状態）において、入力検出部２０を介してスイッチＳＷａの押下により出力された押下信号を取得した場合、グループＧ１の照明１〜４が点灯する状態と判断する。同様に、端末制御部１５は、スイッチＳＷａが押下された状態（グループＧ１の照明１〜４が点灯している状態）において、入力検出部２０を介してスイッチＳＷａの押下により出力された押下信号を取得した場合、グループＧ１の照明１〜４が消灯する状態と判断する。
【００６４】
ＬＥＤランプ２４は、端末制御部１５によりグループＧ２の照明５〜８が点灯する状態であると判断された場合には、端末制御部１５の制御により赤色に発光し、端末制御部１５によりグループＧ２の照明５〜８が消灯する状態であると判断された場合には、端末制御部１５の制御により緑色に発光する。なお、端末制御部１５は、スイッチＳＷｂが押下されていない状態（グループＧ２の照明５〜８が消灯している状態）において、入力検出部２０を介してスイッチＳＷｂの押下により出力された押下信号を取得した場合、グループＧ２の照明５〜８が点灯する状態と判断する。同様に、端末制御部１５は、スイッチＳＷｂが押下された状態（グループＧ２の照明５〜８が点灯している状態）において、入力検出部２０を介してスイッチＳＷｂの押下により出力された押下信号を取得した場合、グループＧ２の照明５〜８が消灯する状態と判断する。
【００６５】
通信部２５は、照明制御端末ユニットＢの筺体Ｋの前面に配置され、外部端末である設定通信器５０により赤外線通信等を介して送信された図６に示す設定情報の新規登録に関する制御信号を受信する。この設定情報の新規登録に関する制御信号には、設定情報の新規登録である旨及び設定通信器５０により入力された設定情報の各パラメータが含まれる。このパラメータには、制御対象のグループ、点灯又は消灯の制御が実行される設定時刻が少なくとも含まれる。通信部２５は、設定通信器５０から設定情報の新規登録に関する制御信号を受信した場合、端末制御部１５に当該制御信号を受信した旨を通知する。端末制御部１５は、通信部２５が設定通信器５０から設定情報の新規登録に関する制御信号を受信した旨の通知を受けた場合には、当該設定情報を取得し、メモリ１６に当該設定情報を記憶する。
【００６６】
次に、タイマモードにおける設定情報の新規登録又は変更について図８及び図９を参照して説明する。図８は、タイマモードにおける設定情報の新規登録又は変更を説明するフローチャートである。図９は、タイマモードにおける設定情報の変更前後における画面例である。同図（ａ）は、２４時間表示型における設定情報のパラメータの変更前を示す画面例を示す。同図（ｂ）は、２４時間表示型における設定情報のパラメータの変更後を示す画面例である。同図（ｃ）は、曜日表示型における設定情報のパラメータの変更前を示す画面例である。同図（ｄ）は、曜日表示型における設定情報のパラメータの変更後を示す画面例である。図８及び図９の説明においては、一例として照明制御端末ユニットＡが用いられるとする。
【００６７】
図８において、照明制御端末１４の入力検出部２０は、ハンドルカバーＨＣ１が開状態であるか否かを検出する（Ｓ１１）。ハンドルカバーＨＣ１が開状態であると検出された場合には（Ｓ１１のＹＥＳ）、端末制御部１５は、モード選択ボタン２８ａに対応するスイッチＳＷ４ａ（図７参照）の所定回数の押下に応じて、モード選択領域３１ａのタイマモードにアンダーバー３４ａを表示する（Ｓ１２）。
【００６８】
タイマモードにアンダーバー３４ａが表示された場合（Ｓ１２のＹＥＳ）、端末制御部１５は、表示部１７の設定情報表示領域３２ａにタイマモードにおけるメニュー等を表示する。このメニューにおいて設定情報の新規登録であることの入力が行われた場合には（Ｓ１３のＹＥＳ）、当該新規登録される設定情報の各種パラメータ（制御対象のグループ、点灯又は消灯する設定時刻等）が設定される（Ｓ１４）。端末制御部１５は、この設定されたパラメータに基づき設定情報を生成し、この生成された設定情報をメモリ１６に記憶する（Ｓ１９）。これにより、図８の処理は終了する。
【００６９】
また、設定情報表示領域３２ａに表示されたタイマモードにおけるメニューにおいて設定情報の変更であることの入力が行われた場合には（Ｓ１３のＮＯ）、端末制御部１５は、設定情報表示領域３２ａに、図９（ａ）又は図９（ｃ）に示すように、図６に示す設定情報を表示する（Ｓ１５）。この表示された設定情報は、初期的に表示するように予め設定された設定情報番号の設定情報でも良いし、直前に表示された設定情報でも良い。なお、直前に表示された設定情報が表示される際には、端末制御部１５は、当該直前に表示された設定情報の設定情報番号をメモリ１６に記憶し、当該記憶された設定情報の設定情報番号に基づいて直前に表示された設定情報を表示することが好ましい。
【００７０】
図９（ａ）又は図９（ｃ）に示す設定情報が表示された後、増加ボタン２６ａに対応するスイッチＳＷ２ａ、減少ボタン２７ａに対応するスイッチＳＷ３ａ、選択ボタン２９ａに対応するスイッチＳＷ５ａ及び決定ボタン３０ａに対応するスイッチＳＷ６ａのうちいずれかが操作されることにより、端末制御部１５は、当該設定情報のパラメータを変更する（Ｓ１６）。端末制御部１５は、この変更された設定情報をメモリ１６に記憶した後（Ｓ１９）、図８の処理は終了する。
【００７１】
また、Ｓ１１においてハンドルカバーＨＣ１が開状態ではないと検出された場合には（Ｓ１１のＮＯ）、設定情報の新規登録である場合に（Ｓ１７のＹＥＳ）、設定通信器５０により入力された設定情報の新規登録に関する制御信号が照明制御端末１４の通信部２５に入力される（Ｓ１８のＹＥＳ）。通信部２５は、この入力された制御信号を受信し、端末制御部１５に当該制御信号を受信した旨を通知する。端末制御部１５は、通信部２５が設定通信器５０から設定情報の新規作成に関する制御信号を受信した旨の通知を受けた場合には、当該設定情報を取得し、メモリ１６に当該設定情報を記憶し（Ｓ１９）、図８の処理は終了する。
【００７２】
図９（ａ）及び（ｂ）の例について説明する。図９（ａ）に示すように、モード選択ボタン２８ａに対応するスイッチＳＷ４ａの押下により、端末制御部１５は、モード選択領域３１ａのタイマモードにアンダーバー３４ａを表示する。このとき、端末制御部１５は、設定情報表示領域３２ａ内に設定情報番号３（ＰＧＲ３）のパラメータ「ＰＧＲ３」の設定情報を初期的に表示する。なお、モード選択領域３１ａにてタイマモードが選択された場合に初期的に表示される設定情報は既定の設定により任意で良い。
【００７３】
また、図９（ａ）の設定情報表示領域３２ａに設定情報番号３（ＰＧＲ３）の設定情報が表示された場合には、端末制御部１５は、当該設定情報表示領域３２ａ内に表示されたパラメータ「ＰＧＲ３」に主キーであるアンダーバー３５ａを表示する。アンダーバー３５ａがパラメータ「ＰＧＲ３」を選択している場合、増加ボタン２６ａに対応するスイッチＳＷ２ａ又は減少ボタン２７ａに対応するスイッチＳＷ３ａが押下されることにより、端末制御部１５は、当該押下の回数に応じた任意の設定情報番号に対応した設定情報を表示する。例えば、アンダーバー３５ａがパラメータ「ＰＧＲ３」を選択している状態で増加ボタン２６ａに対応するスイッチＳＷ２ａが一度押下された場合には、パラメータ「ＰＧＲ４」に対応する設定情報番号４の設定情報が設定情報表示領域３２ａに表示される。
【００７４】
図９（ａ）の設定情報表示領域３２ａに表示された設定情報番号３（ＰＧＲ３）の設定情報に対し、パラメータの変更が行われるとする。主キーであるアンダーバー３５ａがパラメータ「ＰＧＲ３」を選択している状態で決定ボタン３０ａに対応するスイッチＳＷ６ａが押下された場合、端末制御部１５は、当該設定情報表示領域３２ａ内の時期表示領域３３ａに主キーであるアンダーバー３６ａを表示する。ここで、時期表示領域３３ａには、点灯又は消灯の時期を時刻別に変更する場合に選択される２４時間表示型を示すパラメータ「２４ｈｏｕｒ」、及び、点灯又は消灯の時期を曜日別に変更する場合に選択される曜日表示型を示すパラメータ「１ｄａｙ」が表示されている。
【００７５】
時期表示領域３３ａに主キーであるアンダーバー３６ａが表示されている状態で増加ボタン２６ａに対応するスイッチＳＷ２ａ又は減少ボタン２７ａに対応するスイッチＳＷ３ａが一度押下されたことにより、アンダーバー３６ａがパラメータ「１ｄａｙ」を選択することが可能である。既定の設定として、アンダーバー３６ａは、パラメータ「２４ｈｏｕｒ」を初期的に選択するものとする。ただし、アンダーバー３６ａはパラメータ「１ｄａｙ」を初期的に選択しても良い。なお、設定情報番号３の設定情報は、図６に示すように、グループＧ３及びＧ４の照明２、照明４、照明６及び照明８が１８時００分に消灯する内容である。
【００７６】
図９（ａ）において、設定情報表示領域３２ａに表示された設定情報番号３（ＰＧＲ３）の時期表示領域３３ａでアンダーバー３６ａがパラメータ「２４ｈｏｕｒ」を選択した状態で選択ボタン２９ａに対応するスイッチＳＷ５ａが押下された場合、端末制御部１５は、当該設定情報の消灯時刻を示すパラメータ「１８：００」に主キーであるアンダーバー３７ａを表示する。設定情報表示領域３２ａに主キーであるアンダーバー３７ａが表示されている状態で増加ボタン２６ａに対応するスイッチＳＷ２ａ又は減少ボタン２７ａに対応するスイッチＳＷ３ａが押下されたことにより、この消灯時刻を任意に変更することが可能である。増加ボタン２６ａに対応するスイッチＳＷ２ａ又は減少ボタン２７ａに対応するスイッチＳＷ３ａの押下により消灯時刻が変更された後に選択ボタン２９ａに対応するスイッチＳＷ５ａが押下された場合、端末制御部１５は、設定情報番号３の設定情報が実行されることを示すパラメータ「実行」に主キーであるアンダーバー３８ａを表示する。既定の設定として、アンダーバー３８ａは、パラメータ「実行」を初期的に選択するものとする。ただし、アンダーバー３８ａはパラメータ「非実行」を初期的に選択しても良い。
【００７７】
図９（ｂ）に示すように、設定情報表示領域３２ａに主キーであるアンダーバー３８ａが表示されている状態で増加ボタン２６ａに対応するスイッチＳＷ２ａ又は減少ボタン２７ａに対応するスイッチＳＷ３ａが押下されたことによりパラメータ「非実行」が選択された場合、端末制御部１５は、アンダーバー３７ａを非表示にする。なお、図９（ｂ）に示すパラメータ「非実行」は、設定情報番号３の設定情報が実行されないことを示す。図９（ｂ）に示すように主キーであるアンダーバー３７ａがパラメータ「非実行」を選択した状態で決定ボタン３０ａに対応するスイッチＳＷ６ａが押下された場合には、端末制御部１５は、設定情報番号３の設定情報に実行しない旨のフラグを追加的に設定し、当該設定された設定情報をメモリ１６に記憶する。
【００７８】
図９（ｃ）及び（ｄ）の例について説明する。図９（ｃ）に示すように、モード選択ボタン２８ａに対応するスイッチＳＷ４ａの押下により、端末制御部１５は、モード選択領域３１ａのタイマモードにアンダーバー３４ａを表示する。このとき、端末制御部１５は、設定情報表示領域３２ａ内に設定情報番号３（ＰＧＲ３）のパラメータ「ＰＧＲ３」の設定情報を初期的に表示する。なお、モード選択領域３１ａにてタイマモードが選択された場合に初期的に表示される設定情報は既定の設定により任意で良い。
【００７９】
また、図９（ｃ）の設定情報表示領域３２ａに設定情報番号３（ＰＧＲ３）の設定情報が表示された場合、端末制御部１５は、当該設定情報表示領域３２ａ内に表示されたパラメータ「ＰＧＲ３」に主キーであるアンダーバー３５ａを表示する。アンダーバー３５ａがパラメータ「ＰＧＲ３」を選択している場合、増加ボタン２６ａに対応するスイッチＳＷ２ａ又は減少ボタン２７ａに対応するスイッチＳＷ３ａが押下されることにより、端末制御部１５は、当該押下の回数に応じた任意の設定情報番号に対応した設定情報を表示する。例えば、アンダーバー３５ａがパラメータ「ＰＧＲ３」を選択している状態で増加ボタン２６ａに対応するスイッチＳＷ２ａが一度押下された場合には、パラメータ「ＰＧＲ４」に対応する設定情報番号４の設定情報が設定情報表示領域３２ａに表示される。
【００８０】
図９（ｃ）の設定情報表示領域３２ａに表示された設定情報番号３（ＰＧＲ３）の設定情報に対し、パラメータの変更が行われるとする。主キーであるアンダーバー３５ａがパラメータ「ＰＧＲ３」を選択している状態で決定ボタン３０ａに対応するスイッチＳＷ６ａが押下された場合、端末制御部１５は、設定情報表示領域３２ａ内の時期表示領域３３ａに主キーであるアンダーバー３６ａを表示する。アンダーバー３６ａがパラメータ「ＰＧＲ３」を選択している場合、増加ボタン２６ａに対応するスイッチＳＷ２ａ又は減少ボタン２７ａに対応するスイッチＳＷ３ａが押下されることにより、端末制御部１５は、当該押下の回数に応じた任意の設定情報番号に対応した設定情報を表示することが可能である。
【００８１】
図９（ｃ）の設定情報表示領域３２ａに変更対象の設定情報番号３（ＰＧＲ３）の設定情報が表示された場合、端末制御部１５は、当該設定情報表示領域３２ａ内に表示された時期表示領域３３ａに主キーであるアンダーバー３６ａを表示する。時期表示領域３３ａに主キーであるアンダーバー３６ａが表示されている状態で増加ボタン２６ａに対応するスイッチＳＷ２ａ又は減少ボタン２７ａに対応するスイッチＳＷ３ａが一度押下されたことにより、アンダーバー３６ａがパラメータ「２４ｈｏｕｒ」を選択することが可能である。なお、設定情報番号３の設定情報は、図７に示すように、グループＧ２及びＧ４の照明２、照明４、照明６及び照明８が１８時００分に消灯する内容である。
【００８２】
図９（ｃ）において、設定情報表示領域３２ａに表示された設定情報番号３（ＰＧＲ３）の時期表示領域３３ａでアンダーバー３６ａがパラメータ「１ｄａｙ」を選択した状態で選択ボタン２９ａに対応するスイッチＳＷ５ａが押下された場合、端末制御部１５は、当該設定情報の消灯の制御日を示すパラメータ「月火水木金」に主キーであるアンダーバー３７ａを表示する。設定情報表示領域３２ａに主キーであるアンダーバー３７ａが表示されている状態で増加ボタン２６ａに対応するスイッチＳＷ２ａ又は減少ボタン２７ａに対応するスイッチＳＷ３ａが押下されたことにより、この消灯の制御日を任意に変更することが可能である。例えば、増加ボタン２６ａに対応するスイッチＳＷ２ａを一度押下した場合にはパラメータ「月火水木金土」が表示される等、増加ボタン２６ａ又は減少ボタン２７ａの押下回数に応じて選択表示される曜日のパラメータが周期的に予め設定されていることが好ましい。増加ボタン２６ａに対応するスイッチＳＷ２ａ又は減少ボタン２７ａに対応するスイッチＳＷ３ａの押下により消灯の制御日が変更された後に選択ボタン２９ａに対応するスイッチＳＷ５ａが押下された場合、端末制御部１５は、設定情報番号３の設定情報が実行されることを示すパラメータ「動作」に主キーであるアンダーバー３８ａを表示する。
【００８３】
図９（ｄ）に示すように、設定情報表示領域３２ａに主キーであるアンダーバー３８ａが表示されている状態で増加ボタン２６ａに対応するスイッチＳＷ２ａ又は減少ボタン２７ａに対応するスイッチＳＷ３ａが押下されたことによりパラメータ「非実行」が選択された場合、端末制御部１５は、アンダーバー３６ａ及び当該消灯の制御日を非表示にする。なお、図９（ｄ）に示すパラメータ「非実行」は、設定情報番号３の設定情報が実行されないことを示す。図９（ｄ）に示すように主キーであるアンダーバー３８ａがパラメータ「非実行」を選択した状態で決定ボタン３０ａに対応するスイッチＳＷ６ａが押下された場合には、端末制御部１５は、設定情報番号３の設定情報に実行しない旨のフラグを追加的に設定し、当該設定された設定情報をメモリ１６に記憶する。
【００８４】
また、図９（ａ）〜（ｄ）に図示していないが、端末制御部１５が設定情報の制御対象であるグループを変更するために当該対象のグループにアンダーバー（不図示）を表示しても良い。この場合に、増加ボタン２６ａに対応するスイッチＳＷ２ａ又は減少ボタン２７ａに対応するスイッチＳＷ３ａの所定回数の押下に応じて、当該設定情報の制御対象であるグループを適宜変更することが可能である。
【００８５】
次に、予告延長モードにおける設定情報の新規登録又は変更について図１０〜図１４を参照して説明する。図１０は、予告延長モードにおける設定情報の新規登録又は変更を説明するフローチャートである。図１１は、予告延長モードにおける設定情報の消灯予告時刻の変更前後における画面例である。同図（ａ）は、設定情報の消灯予告時刻の変更前を示す画面例を示す。同図（ｂ）は、設定情報の消灯予告時刻の変更後を示す画面例である。図１２は、照明１〜８の点灯状態の時間変化を示す説明図である。図１３は、予告延長モードにおける設定情報の点灯延長時間の変更前後における画面例である。同図（ａ）は、設定情報の点灯延長時間の変更前を示す画面例を示す。同図（ｂ）は、設定情報の点灯延長時間の変更後を示す画面例である。図１４は、照明１〜８の点灯状態の時間変化を示す説明図である。図１０〜図１４の説明においては、一例として照明制御端末ユニットＡが用いられるとする。
【００８６】
図１０において、照明制御端末１４の入力検出部２０は、ハンドルカバーＨＣ１が開状態であるか否かを検出する（Ｓ２１）。ハンドルカバーＨＣ１が開状態であると検出された場合には（Ｓ２１のＹＥＳ）、端末制御部１５は、モード選択ボタン２８ａに対応するスイッチＳＷ４ａ（図７参照）の所定回数の押下に応じて、モード選択領域３１ａの予告延長モードにアンダーバー３４ａを表示する（Ｓ２２）。
【００８７】
予告延長モードにアンダーバー３４ａが表示された場合（Ｓ２２のＹＥＳ）、端末制御部１５は、表示部１７の設定情報表示領域３２ａに予告延長モードにおけるメニュー等を表示する。このメニューにおいて設定情報の新規登録であることの入力が行われた場合には（Ｓ２３のＹＥＳ）、当該新規登録される設定情報の各種パラメータ（制御対象のグループ、点灯又は消灯する設定時刻等）が設定される（Ｓ２４）。端末制御部１５は、この設定されたパラメータに基づき設定情報を生成し、この生成された設定情報をメモリ１６に記憶する（Ｓ２９）。これにより、図１０の処理は終了する。
【００８８】
また、設定情報表示領域３２ａに表示された予告延長モードにおけるメニューにおいて設定情報の変更であることの入力が行われた場合には（Ｓ２３のＮＯ）、端末制御部１５は、設定情報表示領域３２ａに、図１１（ａ）又は図１３（ａ）に示すように、図６に示す設定情報を表示する（Ｓ２５）。この表示された設定情報は、初期的に表示するように予め設定された設定情報番号の設定情報でも良いし、直前に表示された設定情報でも良い。なお、直前に表示された設定情報が表示される際には、端末制御部１５は、当該直前に表示された設定情報の設定情報番号をメモリ１６に記憶し、当該記憶された設定情報の設定情報番号に基づいて直前に表示された設定情報を表示することが好ましい。
【００８９】
図１１（ａ）又は図１３（ａ）に示す設定情報が表示された後、増加ボタン２６ａに対応するスイッチＳＷ２ａ、減少ボタン２７ａに対応するスイッチＳＷ３ａ、選択ボタン２９ａに対応するスイッチＳＷ５ａ及び決定ボタン３０ａに対応するスイッチＳＷ６ａのうちいずれかが操作されることにより、端末制御部１５は、当該設定情報のパラメータを変更する（Ｓ２６）。端末制御部１５は、この変更された設定情報をメモリ１６に記憶した後（Ｓ２９）、図１０の処理は終了する。
【００９０】
また、Ｓ２１においてハンドルカバーＨＣ１が開状態ではないと検出された場合には（Ｓ２１のＮＯ）、設定情報の新規登録である場合に（Ｓ２７のＹＥＳ）、設定通信器５０により入力された設定情報の新規登録に関する制御信号が照明制御端末１４の通信部２５に入力される（Ｓ２８のＹＥＳ）。通信部２５は、この入力された制御信号を受信し、端末制御部１５に当該制御信号を受信した旨を通知する。端末制御部１５は、通信部２５が設定通信器５０から設定情報の新規作成に関する制御信号を受信した旨の通知を受けた場合には、当該設定情報を取得し、メモリ１６に当該設定情報を記憶し（Ｓ２９）、図１０の処理は終了する。
【００９１】
図１１（ａ）及び（ｂ）の例について説明する。図１１（ａ）に示すように、モード選択ボタン２８ａに対応するスイッチＳＷ４ａの押下により、端末制御部１５は、モード選択領域３１ａの予告延長モードにアンダーバー３４ａを表示する。このとき、端末制御部１５は、設定情報表示領域３２ａ内に設定情報番号１（ＰＧＲ１）のパラメータ「ＰＧＲ１」の設定情報を初期的に表示する。なお、モード選択領域３１ａにて予告延長モードが選択された場合に初期的に表示される設定情報は既定の設定により任意で良い。
【００９２】
また、図１１（ａ）の設定情報表示領域３２ａに設定情報番号１（ＰＧＲ１）の設定情報が表示された場合には、端末制御部１５は、当該設定情報表示領域３２ａ内に表示されたパラメータ「ＰＧＲ１」に主キーであるアンダーバー３５ａを表示する。アンダーバー３５ａがパラメータ「ＰＧＲ１」を選択している場合、増加ボタン２６ａに対応するスイッチＳＷ２ａ又は減少ボタン２７ａに対応するスイッチＳＷ３ａが押下されることにより、端末制御部１５は、当該押下の回数に応じた任意の設定情報番号に対応した設定情報を表示する。例えば、アンダーバー３５ａがパラメータ「ＰＧＲ１」を選択している状態で増加ボタン２６ａに対応するスイッチＳＷ２ａが一度押下された場合には、パラメータ「ＰＧＲ２」に対応する設定情報番号４の設定情報が設定情報表示領域３２ａに表示される。
【００９３】
図１１（ａ）に示す設定情報番号１の設定情報は、図６に示すように、１２時００分にグループＧ２及びＧ４である照明２、照明４、照明６及び照明８が予告消灯する内容である。図１１（ａ）の設定情報表示領域３２ａに表示された設定情報番号１（ＰＧＲ１）の設定情報に対し、パラメータの変更が行われるとする。主キーであるアンダーバー３５ａがパラメータ「ＰＧＲ１」を選択している状態で決定ボタン３０ａに対応するスイッチＳＷ６ａが押下された場合、端末制御部１５は、当該設定情報表示領域３２ａ内に表示されたパラメータ「予告消灯時刻」に主キーであるアンダーバー３９ａを表示する。図１１（ａ）に示すように、パラメータ「予告消灯時刻」に主キーであるアンダーバー３９ａが表示されている場合には、照明制御端末１４の端末制御部１５は、設定情報番号１の設定情報における予告消灯時刻を変更可能な状態である。第１の実施形態では、パラメータ「予告消灯時刻」は、「無」、「５分前」及び「１０分前」のいずれかから選択可能とする。ただし、パラメータ「予告消灯時刻」は任意に設定しても良い。
【００９４】
設定情報表示領域３２ａに表示されたアンダーバー３９ａがパラメータ「予告消灯時刻」を選択した状態で選択ボタン２９ａに対応するスイッチＳＷ５ａが押下された場合、端末制御部１５は、図１１（ｂ）に示すように、当該設定情報の予告消灯時刻の選択肢例を示すパラメータ「５分前」に主キーであるアンダーバー４０ａを表示する。設定情報表示領域３２ａに主キーであるアンダーバー４０ａが表示されている状態で増加ボタン２６ａに対応するスイッチＳＷ２ａ又は減少ボタン２７ａに対応するスイッチＳＷ３ａが押下されたことにより、この予告消灯時刻を「無」、「５分前」及び「１０分前」のうちいずれかを任意に選択することが可能である。
【００９５】
増加ボタン２６ａに対応するスイッチＳＷ２ａ又は減少ボタン２７ａに対応するスイッチＳＷ３ａの押下により予告消灯時刻がパラメータ「５分前」に変更された後に決定ボタン３０ａに対応するスイッチＳＷ６ａが押下された場合、端末制御部１５は、予告消灯時刻をパラメータ「１１：５５」とする設定情報番号１の設定情報をメモリ１６に記憶する。
【００９６】
また、図１１（ａ）及び（ｂ）に図示していないが、端末制御部１５が設定情報の制御対象であるグループを変更するために当該対象のグループにアンダーバー（不図示）を表示しても良い。この場合に、増加ボタン２６ａに対応するスイッチＳＷ２ａ又は減少ボタン２７ａに対応するスイッチＳＷ３ａの所定回数の押下に応じて、当該設定情報の制御対象であるグループを適宜変更することが可能である。
【００９７】
前述したように変更された設定情報番号１、及び設定情報番号２の各設定情報に従って、照明１〜８の点灯又は消灯の時間変化に関して図１２を参照して説明する。図１２において、メモリ１６に記憶された設定情報番号１の設定情報では、新たに設定された予告消灯時刻である１１時５５分迄は全ての照明１〜８は点灯している状態である（全点灯状態）。現在時刻が設定情報番号１の設定情報における予告消灯時刻である１１時５５分に一致すると、照明制御端末１４の端末制御部１５は、設定情報番号１の設定情報に従って、グループＧ３及びＧ４に対応する照明２、照明４、照明６及び照明８を予告消灯するための制御信号を動作制御部１３に出力する。動作制御部１３は、この制御信号に基づいて、照明２、照明４、照明６及び照明８を予告消灯するように制御する（一部点灯状態）。現在時刻が設定情報番号２の設定情報における全消灯時刻である１２時５分に一致すると、照明制御端末１４の端末制御部１５は、設定情報番号２の設定情報に従って、グループＧ１及びＧ２に対応する照明１〜照明８を消灯するための制御信号を動作制御部１３に出力する。動作制御部１３は、この制御信号に基づいて、全ての照明１〜照明８を消灯するように制御する（全消灯状態）。
【００９８】
図１３（ａ）及び（ｂ）の例について説明する。図１１（ａ）に示すように、モード選択ボタン２８ａに対応するスイッチＳＷ４ａの押下により、端末制御部１５は、モード選択領域３１ａの予告延長モードにアンダーバー３４ａを表示する。このとき、端末制御部１５は、設定情報表示領域３２ａ内に設定情報番号１（ＰＧＲ１）のパラメータ「ＰＧＲ１」の設定情報を初期的に表示する。なお、モード選択領域３１ａにて予告延長モードが選択された場合に初期的に表示される設定情報は既定の設定により任意で良い。
【００９９】
また、図１１（ａ）の設定情報表示領域３２ａに設定情報番号１（ＰＧＲ１）の設定情報が表示された場合には、端末制御部１５は、当該設定情報表示領域３２ａ内に表示されたパラメータ「ＰＧＲ１」に主キーであるアンダーバー３５ａを表示する。アンダーバー３５ａがパラメータ「ＰＧＲ１」を選択している場合、増加ボタン２６ａに対応するスイッチＳＷ２ａ又は減少ボタン２７ａに対応するスイッチＳＷ３ａが押下されることにより、端末制御部１５は、当該押下の回数に応じた任意の設定情報番号に対応した設定情報を表示する。図１３（ａ）は、増加ボタン２６ａに対応するスイッチＳＷ２ａ又は減少ボタン２７ａに対応するスイッチＳＷ３ａが所定回数押下されたことにより、端末制御部１５が当該押下の回数に応じて設定情報番号６の設定情報を表示した画面である。
【０１００】
図１３（ａ）に示す設定情報番号６の設定情報は、図６に示すように、２３時５分にグループＧ１である照明１〜４が消灯する内容である。図１３（ａ）の設定情報表示領域３２ａに表示された設定情報番号６（ＰＧＲ６）の設定情報に対し、パラメータの変更が行われるとする。主キーであるアンダーバー３５ａがパラメータ「ＰＧＲ６」を選択している状態で決定ボタン３０ａに対応するスイッチＳＷ６ａが押下された場合、端末制御部１５は、当該設定情報表示領域３２ａ内に表示されたパラメータ「点灯延長時間」に主キーであるアンダーバー４１ａを表示する。図１３（ａ）に示すように、パラメータ「点灯延長時間」に主キーであるアンダーバー４１ａが表示されている場合には、照明制御端末１４の端末制御部１５は、設定情報番号６の設定情報における点灯延長時間を変更可能な状態である。第１の実施形態では、パラメータ「点灯延長時間」は、「３０分」及び「１時間」のうちいずれかから選択可能とする。ただし、パラメータ「点灯延長時間」は任意に設定するようにしても良い。
【０１０１】
設定情報表示領域３２ａに表示されたアンダーバー４１ａがパラメータ「予告消灯時刻」を選択した状態で選択ボタン２９ａに対応するスイッチＳＷ６ａが押下された場合、端末制御部１５は、図１３（ｂ）に示すように、当該設定情報の点灯延長時間の選択肢例を示すパラメータ「３０分」に主キーであるアンダーバー４２ａを表示する。設定情報表示領域３２ａに主キーであるアンダーバー４２ａが表示されている状態で増加ボタン２６ａに対応するスイッチＳＷ２ａ又は減少ボタン２７ａに対応するスイッチＳＷ３ａが押下されたことにより、この予告消灯時刻を「３０分」及び「１時間」のうちいずれかを任意に選択することが可能である。
【０１０２】
増加ボタン２６ａに対応するスイッチＳＷ２ａ又は減少ボタン２７ａに対応するスイッチＳＷ３ａの押下により点灯延長時間がパラメータ「３０分」に変更された後に決定ボタン３０ａが押下された場合、端末制御部１５は、点灯延長時間をパラメータ「２３：３５」とする設定情報番号６の設定情報をメモリ１６に記憶する。
【０１０３】
また、図１３（ａ）及び（ｂ）に図示していないが、端末制御部１５が設定情報の制御対象であるグループを変更するために当該対象のグループにアンダーバー（不図示）を表示しても良い。この場合に、増加ボタン２６ａに対応するスイッチＳＷ２ａ又は減少ボタン２７ａに対応するスイッチＳＷ３ａの所定回数の押下に応じて、当該設定情報の制御対象であるグループを適宜変更することが可能である。
【０１０４】
設定情報番号５、及び前述したように変更された設定情報番号６の各設定情報に従って、照明１〜８の点灯又は消灯の時間変化に関して図１４を参照して説明する。図１４において、メモリ１６に記憶された設定情報番号５の設定情報では、予め設定されている予告消灯時刻である２３時００分迄はグループＧ１の照明１〜４は点灯し、グループＧ２の照明５〜８は消灯している状態である（Ｇ１全点灯状態）。現在時刻が設定情報番号５の設定情報における予告消灯時刻である２３時００分に一致すると、照明制御端末１４の端末制御部１５は、設定情報番号５の設定情報に従って、グループＧ３に対応する照明２及び照明４を予告消灯するための制御信号を動作制御部１３に出力する。動作制御部１３は、この制御信号に基づいて、照明２及び照明４を予告消灯するように制御する（Ｇ１−Ｇ２部分点灯状態）。現在時刻が点灯延長時間の設定された設定情報番号６の設定情報における全消灯時刻である２３時３５分に一致すると、照明制御端末１４の端末制御部１５は、設定情報番号６の設定情報に従って、グループＧ１に対応する照明１〜４を消灯するための制御信号を動作制御部１３に出力する。動作制御部１３は、この制御信号に基づいて、照明１〜４を消灯するように制御する（全消灯状態）。
【０１０５】
以上説明したように、この発明の第１の実施形態の照明制御端末１４は、長手方向に配置された軸部Ｊ１（又はＪ２）を中心に回動可能に枢着されたハンドルカバーＨＣ１（又はＨＣ２）を有する筺体Ｋを備える。特に、ハンドルカバーＨＣ１（又はＨＣ２）の前面には、照明１〜８の点灯又は消灯に関する制御信号を出力するためのスイッチＳＷａ（又はスイッチＳＷｂ）が配置される。また、ハンドルカバーＨＣ１（又はＨＣ２）の後面には、照明１〜８及び当該照明１〜８の点灯又は消灯の設定時刻を設定するための設定操作部である各種ボタン２６ａ〜３０ａ（又は２６ｂ〜３０ｂ）と、ハンドルカバーＨＣ１（又はＨＣ２）の閉状態を固定するための係止部ＫＣ１（又はＫＣ２）とが配置される。また、筺体Ｋの前面には、設定操作部である各種ボタン２６ａ〜３０ａ（又は２６ｂ〜３０ｂ）により設定された設定内容を表示する表示部１７（又は１８）と、係止部ＫＣ１（又はＫＣ２）と係合することによりハンドルカバーＨＣ１（又はＨＣ２）の閉状態を固定するための被係止部ＨＫＣ１（又はＨＫＣ２）とが配置される。
【０１０６】
また、筺体Ｋの内部には、設定操作部である各種ボタン２６ａ〜３０ａにより設定された設定情報を記憶する記憶部であるメモリ１６と、スイッチＳＷａ（又はＳＷｂ）の押下に応じて、又は、現在時刻を計時する時計機能である内部時計Ｃ３を含み当該計時された現在時刻が前記記憶部であるメモリ１６に記憶された設定情報に含まれる設定時刻に一致すると当該設定情報の内容に応じて、照明１〜８の点灯又は消灯に関する制御信号を出力する端末制御部１５とを備える。
【０１０７】
従って、第１の実施形態の照明制御端末１４によれば、ハンドルカバーＨＣ１（又はＨＣ２）を開状態にした場合には、設定通信器５０、又は表示部１７及び各種ボタン２６ａ〜３０ａ（又は表示部１８及び各種ボタン２６ｂ〜３０ｂ）を介して複数設けられたスイッチＳＷａ（又はＳＷｂ）のうちいずれかの押下に応じて点灯又は消灯する照明の設定を効率的かつ簡易に実行可能とすることができる。更に、ハンドルカバーＨＣ１（又はＨＣ２）が閉状態である場合には、複数設けられたスイッチＳＷａ（又はＳＷｂ）の押下に応じて点灯又は消灯するように設定された照明１〜８の動作を、従来の照明制御端末１４ｚの設置領域に比べて十分な省スペース化を実現した設置領域で制御することができる。
【０１０８】
また、操作設定部により設定された設定情報には、所定の設定時刻に、複数の照明１〜８、又は複数の照明１〜８のうち一部の照明が一括消灯する内容が含まれていても良い。この場合、第１の実施形態の照明制御端末１４は、当該設定情報に従って、スイッチＳＷａ（又はＳＷｂ）の押下に依らず、当該所定の設定時刻になると、複数の照明１〜８、又は複数の照明１〜８のうち一部の照明を一括して消灯することができる。
【０１０９】
また、操作設定部により設定された設定情報には、所定の設定時刻の前に、複数の照明１〜８のうち一部の消灯する内容が含まれていても良い。この場合、第１の実施形態の照明制御端末１４は、当該設定情報に従って、スイッチＳＷａ（又はＳＷｂ）の押下に依らず、当該所定の設定時刻の直前になると、複数の照明１〜８のうち一部の照明を一括して消灯することができる。
【０１１０】
また、操作設定部により設定された設定情報の消灯する時刻は、設定操作部である各種ボタン２６ａ〜３０ａ（又は２６ｂ〜３０ｂ）により設定可能であっても良い。更に、当該消灯する時刻は、設定操作部により延長するように設定可能であっても良い。この場合、第１の実施形態の照明制御端末１４は、設定操作部である各種ボタン２６ａ〜３０ａ（又は２６ｂ〜３０ｂ）を用いて、メモリ１６に記憶された設定情報を都度、効率的に設定することができる。
【０１１１】
また、第１の実施形態の照明制御端末１４は、照明１〜８の状態に応じて報知する報知部であるＬＥＤランプ２３（又は２４）を備えても良い。ＬＥＤランプ２３（又は２４）は、照明１〜４の点灯状態に対応して第１の色（赤色）に発光して報知し、照明５〜８の消灯状態に対応して第２の色（緑色）に発光して報知する。従って、ＬＥＤランプ２３（又は２４）を設けることにより、第１の実施形態の照明制御端末１４は、照明１〜８の点灯状態又は消灯状態を適切に示すことができる。
【０１１２】
また、第１の実施形態の照明制御端末１４は、筺体Ｋの前面に、メモリ１６に記憶される設定情報を外部端末である設定通信器５０により受信するための通信部２５を備え、端末制御部１５は、通信部２５により受信された設定情報をメモリ１６に記憶する。従って、通信部２５を設けることにより、第１の実施形態の照明制御端末１４は、数多くの設定情報を新規作成する場合等に、照明制御端末１４の操作ではなく、設定通信器５０の操作により、効率的に設定情報を新規作成してメモリ１６に記憶することができる。
【０１１３】
また、第１の実施形態の照明制御システム１００は、照明制御端末１４と、当該照明制御端末１４により出力された制御信号に基づき、当該制御信号に応じて照明１〜８の点灯又は消灯を制御する動作制御部を備える。これにより、複数設けられたスイッチのいずれかの押下に応じて点灯又は消灯する照明の設定を効率的かつ簡易に実行可能とし、設置領域の省スペース化を実現する照明制御端末１４を備えた照明制御システムを構築することができる。
【０１１４】
以上、添付図面を参照しながら各種の実施形態について説明したが、この発明の照明制御端末１４及び照明制御システム１００はかかる例に限定されないことは言うまでもない。当業者であれば、特許請求の範囲に記載された範疇内において、各種の変更例または修正例に想到し得ることは明らかであり、それらについても当然にこの発明の技術的範囲に属するものと了解される。
【０１１５】
なお、前述した照明制御端末１４は、照明制御端末ユニットＡのハンドルカバーＨＣ１が閉状態である場合には、スイッチＳＷａの押下に応じて、図６により設定されたグループの照明を点灯又は消灯するための制御信号を出力し、同ハンドルカバーＨＣ１が開状態である場合には、現地時刻が図６に示した設定情報の設定時刻に一致した場合に、当該設定情報に対応する制御信号を出力する旨を説明した。しかし、例えば、ハンドルカバーＨＣ１が閉状態である場合に、当該スイッチＳＷａが押下されなくても、現在時刻が図６に示した設定情報の設定時刻に一致した場合に、当該設定情報に対応する制御信号を出力しても良い。
【０１１６】
なお、前述したハンドルカバーＨＣ１の閉状態を固定するために、ハンドルカバーＨＣ１の後面に係止部ＫＣ１、及び筺体Ｋの前面に被係止部ＨＫＣ１がそれぞれ配置される旨を説明した。例えば、被係止部ＨＫＣ１に永久磁石を用い、係止部ＫＣ１に磁石を用いることにより、ハンドルカバーＨＣ１の閉状態を固定するようにしても良い。また、ハンドルカバーＨＣ２の閉状態を固定するためについても同様に構成しても良い。更に、係止部ＫＣ１（又はＫＣ２）及び被係止部ＨＫＣ１（又はＨＫＣ２）の係合によりハンドルカバーＨＣ１の固定状態を担保する代替手段として、ハンドルカバーＨＣ１（又はＨＣ２）の前面の一部領域にタッチパネルを設け、当該タッチパネルが押下された場合に、端末制御部１５が当該ハンドルカバーＨＣ１（又はＨＣ２）を閉状態と判断し、当該ハンドルカバーの閉状態を担保する電子回路（不図示）に当該閉状態を固定するように制御しても良い。
【０１１７】
なお、前述した通信部２５は、照明制御端末ユニットＢの筺体Ｋの前面に配置されるように説明したが、照明制御端末ユニットＡの筺体Ｋの前面に配置されるように構成しても良い。
【０１１８】
また、ハンドルカバーＨＣ２が開状態である場合でも、通信部２５は設定通信器５０により赤外線通信等を介して送信された制御信号を受信しても良い。
【０１１９】
また、ＬＥＤランプ２３（又は２４）は、照明１〜４（又は５〜８）のいずれかが予告消灯している場合に、当該予告消灯していることを示すために、点滅して報知しても良い。
【符号の説明】
【０１２０】
１、２、３、４、５、６、７、８  照明
９  伝送ユニット
１０ａ、１０ｂ  Ｔ／Ｕ
１１  リモコントランス
１３  動作制御部
１４  照明制御端末
１５  端末制御部
１６  メモリ
１７、１８  表示部
１９ａ、１９ｂ  スイッチ群
２０  入力検出部
２３、２４  ＬＥＤランプ
２５  通信部
２６ａ、２６ｂ  増加ボタン
２７ａ、２７ｂ  減少ボタン
２８ａ、２８ｂ  モード選択ボタン
２９ａ、２９ｂ  選択ボタン
３０ａ、３０ｂ  決定ボタン
５０  設定通信器
１００ｚ  照明制御システム
ＡＣ１、ＡＣ２、ＡＣ３  交流電源
Ｃ３  内部時計
ＨＣ１、ＨＣ２  ハンドルカバー
ＨＫＣ１、ＨＫＣ２  被係止部
Ｊ１、Ｊ２  軸部
Ｋ  筺体
ＫＣ１、ＫＣ２  係止部
Ｗ、Ｗｚ  壁面
【図１】
0005455050.tif 000002
【図２】
0005455050.tif 000003
【図３】
0005455050.tif 000004
【図４】
0005455050.tif 000005
【図５】
0005455050.tif 000006
【図６】
0005455050.tif 000007
【図７】
0005455050.tif 000008
【図８】
0005455050.tif 000009
【図９】
0005455050.tif 000010
【図１０】
0005455050.tif 000011
【図１１】
0005455050.tif 000012
【図１２】
0005455050.tif 000013
【図１３】
0005455050.tif 000014
【図１４】
0005455050.tif 000015
【図１５】
0005455050.tif 000016
【図１６】
0005455050.tif 000017